(57)【要約】【課題】小物類を整理して収容することができると共に、釣用バッグに容易に出し入れすることができる軽量で使い勝手の良い釣用タックルケースの提供。【解決手段】このタックルケース１３は、トレイ状に形成されたケース本体３３と、これに設けられた蓋３４とを有する。蓋３４は、スライドファスナー３５によりケース本体３３と連結されている。スライドファスナー３５は、一対のジッパーテープ５１、５２と、一対のチェーン５３、５４と、スライダ５５とを備えている。蓋３４に設けられたジッパーテープ５１は、スライドファスナー３５が閉じられている状態において蓋３４の下面の周縁部５６からL字状に屈曲してケース本体３３側へ垂下している。【選択図】図１２
2007330158.tif 000002
【特許請求の範囲】
【請求項１】
上面が開放されたトレイ状に形成されたケース本体と、
ファスナーを介して上記上面に設けられた蓋部材とを有し、
上記ファスナーは、
上記蓋部材及びケース本体にそれぞれ設けられた一対のジッパーテープと、
当該一対のジッパーテープの間に設けられ、互いに係合した状態と係合が解除された状態との間で変化し得る一対のチェーンと、
当該一対のチェーンの間に設けられ、当該一対のチェーンに沿ってスライドすることによって当該一対のチェーンの状態を変化させるスライダとを備えており、
上記蓋部材に設けられたジッパーテープは、上記一対のチェーンが互いに係合した状態であるときに当該蓋部材の下面の縁部から上記ケース本体側へ垂下するように配置されている釣用タックルケース。
【請求項２】
上記蓋部材に設けられたジッパーテープの端部は、上記蓋部材の下面の縁部に縫い付けられ、上記ケース本体側へＬ字状に屈曲されている請求項１に記載の釣用タックルケース。
【請求項３】
上記蓋部材の縁部と上記ジッパーテープとを被覆する被覆テープが設けられている請求項１または２に記載の釣用タックルケース。
【請求項４】
上記ケース本体の対向する一対の側面に把手が設けられている請求項１から３のいずれかに記載の釣用タックルケース。
【請求項５】
上記把手は、ケース本体の中央上方で束ねられ得る紐状に形成されている請求項４に記載の釣用タックルケース。
【請求項６】
上記ケース本体は、熱可塑性樹脂により矩形のトレイ状に形成されており、
当該ケース本体の縦寸法ａ、横寸法ｂ及び高さ寸法ｃは、それぞれ
１００ｍｍ≦ａ≦５００ｍｍ、
１００ｍｍ≦ｂ≦８００ｍｍ、
５ｍｍ≦ｃ≦３００ｍｍの範囲に設定されている請求項１から５のいずれかに記載の釣用タックルケース。
【請求項７】
上記ケース本体の外面角部は、滑らかな曲面に形成されている請求項１から６のいずれかに記載の釣用タックルケース。
【請求項８】
上記蓋部材は透明である請求項１から７のいずれかに記載の釣用タックルケース。
【請求項９】
上記蓋部材は、小物収容ポケットを備えている請求項１から８のいずれかに記載の釣用タックルケース。
【請求項１０】
上記ケース本体の底面に滑止部材が設けられている請求項１から９のいずれかに記載の釣用タックルケース。
【発明の詳細な説明】
【技術分野】
【０００１】
本発明は、釣糸、釣針、針外し、ウキ、プライヤその他釣用小物類や釣餌等を収容するタックルケースの構造に関するものである。
【背景技術】
【０００２】
釣人は、釣行の際に釣竿や釣用リールのほかウキや釣糸、釣針等のさまざまな釣道具を携帯する。釣人が携行する道具のうち釣竿は、特に大型の道具であって細長棒状の部材であるから、一般にロッドケースと称される釣竿専用ケースに収納され、釣人は、このロッドケースを携帯する。また、たとえば磯釣り等では、釣竿のほかに釣用リール等の比較的大型の釣道具も必要であり、さらに、ウキやルアー等の中型の釣道具や、針、錘、釣糸やサルカンと称される釣糸連結具などのように小型の釣道具も必要である。したがって、釣人は、さまざまなサイズの釣道具を釣場で容易に取り扱えるようにタックルケースに効率的に収納する必要がある。
【０００３】
釣道具を収納するために、従来から種々のタックルケースが提案されている（例えば、特許文献１および特許文献２参照）。また、前述のように釣道具の種類は、その外形や重量が大きいものから小さいものまでさまざまであるから、釣人は、多くの釣道具をタックルケースにコンパクトに収納するためには工夫が必要であった。そのため、特に小物類を収容するために小物専用のタックルケースも提案されている。（例えば、特許文献３および非特許文献１参照）。
【０００４】
図１３は、従来のタックルケースの斜視図である。また、図１４は、図１３におけるXIV−XIV断面図である。もっとも、同図は従来のタックルケースの一例を示したものであり、従来のタックルケースの仕様は、さまざまである。
【０００５】
図１３が示すように、このタックルケースＴＣは、全体として直方体状に形成されており、本体１と、把手２が設けられた蓋３とを有する。この蓋３は、ファスナーＦを介して本体１に取り付けられており、釣人は、ファスナーＦを操作することによって蓋３を開閉することができる。釣人は、このタックルケースＴＣを単独で使用することもできるが、さらに大型の釣用バッグのバッグインバッグとして使用することもできる。上記把手２が設けられることにより、釣人は、タックルケースＴＣを容易に持ち歩くことができ、また、釣用バッグに出し入れすることができる。
【０００６】
【特許文献１】特開２０００−６０４０１号公報
【特許文献２】特開２００６−１２９７７２号公報
【特許文献３】特開２００６−３４４７９号公報
【非特許文献１】2006 SHIMANO Fishing Tackle Catalogue (P.218〜P.228、特にP.226）
【発明の開示】
【発明が解決しようとする課題】
【０００７】
ところで、図１４が示すように、一般に従来のタックルケース１では、蓋３は、いわゆるパイピング処理がなされている。すなわち、蓋３は、シート状の蓋本体４と、蓋本体４の周囲に沿って配置された芯材５と、この芯材５を包む被服シート６とを備えている。そして、同図が示すように被服シート６が芯材５を包み込み、当該被服シート６と、蓋本体４と、上記ファスナーＦの基布７とが重ね合わされた状態で縫い付けられている。かかるパイピング処理がなされることにより、芯材５が蓋本体４の周囲に固定されるから、一般には、蓋本体４の剛性が向上すると共に蓋３のエッジの仕上げが綺麗になるとされている。
【０００８】
上記パイピング処理がなされることにより、ファスナーＦの基布７は、蓋本体４の上側に配置され、しかも上向きに延びるように蓋本体４に縫い付けられる。したがって、ファスナーＦが開閉するためには、同図が示すように、上向きに延びる基布７が下方へ反転するように折り返されなければならない。このように、基布７が下方へ折り返されると、ファスナーＦの円滑な操作が困難になることがある。詳述すれば、基布７はもともと上向きに延びるように蓋本体４に縫い付けられているから、基布７が下向きに折り返されたとしても、基布７は常時上向きに反転し易い状態にある。その状態において、ファスナーＦが操作されると、ファスナーＦが蓋３の角部８（図１３参照）をスライドする際に基布７が強く引っ張られ、その結果、釣人は、ファスナーＦの円滑な操作が困難になることがある。
【０００９】
また、パイピング処理のために部品点数が増大するだけでなく、パイピング処理は、一般に高度な縫製技術が必要である。したがって、パイピング処理が施された結果、タックルケース１の重量がが増大すると共に、製造コストも大幅に上昇するという問題もあった。
【００１０】
そこで、本発明の目的は、釣用小物類を整理して収容することができると共に、大型の釣用バッグにも容易に出し入れすることができる軽量で使い勝手の良い釣用タックルケースを提供することである。
【課題を解決するための手段】
【００１１】
(1) 上記目的が達成されるため、本発明に係る釣用タックルケースは、上面が開放されたトレイ状に形成されたケース本体と、ファスナーを介して上記上面に設けられた蓋部材とを有する。上記ファスナーは、上記蓋部材及びケース本体にそれぞれ設けられた一対のジッパーテープと、当該一対のジッパーテープの間に設けられ、互いに係合した状態と係合が解除された状態との間で変化し得る一対のチェーンと、当該一対のチェーンの間に設けられ、当該一対のチェーンに沿ってスライドすることによって当該一対のチェーンの状態を変化させるスライダとを備える。上記蓋部材に設けられたジッパーテープは、上記一対のチェーンが互いに係合した状態であるときに当該蓋部材の下面の縁部から上記ケース本体側へ垂下するように配置されている。
【００１２】
釣人は、スライダを操作することによってファスナーを開閉することができる。ファスナーが開かれることにより蓋部材がケース本体に対して開放される。この状態で釣人は、ケース本体に釣道具を出し入れすることができる。ファスナーが閉じられることによって蓋部材がケース本体に対して閉鎖される。この釣用タックルケースは、単体で使用されることもできるし、釣用バッグのバッグインバッグとして使用されることもできる。
【００１３】
ファスナーを構成する一対のチェーンが互いに係合した状態のとき、すなわちファスナーが閉じられたときは、蓋部材は、ケース本体の上面を閉塞する。このとき、ファスナーを構成する一対のジッパーテープのうち一方のジッパーテープは、蓋部材の下面の縁部からケース本体側へ垂下するように配置される。すなわち、このジッパーテープは、従来のように蓋部材の上面に設けられ、当該蓋部材の縁部に回り込むように折り返されるものではなく、蓋部材の下面からそのまま下方へ延びる。言い換えれば、上記ファスナーが開かれていてもあるいは閉じられていても、上記一方のジッパーテープは、他方のジッパーテープの方へ延びている。したがって、たとえスライダが蓋部材の角部をスライドする場合であっても、一対のジッパーテープが強く引っ張られることはなく、その結果、ファスナーの円滑な開閉操作が可能になる。
【００１４】
(2) 上記蓋部材に設けられたジッパーテープの端部は、上記蓋部材の下面の縁部に縫い付けられ、上記ケース本体側へＬ字状に屈曲されているのが好ましい。
【００１５】
この場合、上記ジッパーテープは、自重により安定的に垂下する。したがって、スライダがスライドする際に、一対のジッパーテープが互いに離反する方向に引っ張られることはなく、その結果、ファスナーの一層円滑な開閉操作が可能になる。
【００１６】
(3) 上記蓋部材の縁部と上記ジッパーテープとを被覆する被覆テープが設けられているのが好ましい。
【００１７】
この構成では、被覆テープにより蓋部材の縁部の剛性が向上する。したがって、蓋部材にパイピング処理が施されなくても当該蓋部材の十分な剛性が確保され得る。なお、被覆テープが設けられることにより、蓋部材および釣用タックルケースの外観が向上する。
【００１８】
(4) 上記ケース本体の対向する一対の側面に把手が設けられているのが好ましい。
【００１９】
この構成では、釣人が把手を把持することができる。ケース本体は、把手によって安定的に吊り下げられる。
【００２０】
(5) 上記把手は、ケース本体の中央上方で束ねられ得る紐状に形成されているのが好ましい。
【００２１】
把手がかかる紐状に形成されることにより、釣人は、両把手を束ねて握るだけで、ケース本体を安定的に持つことができる。
【００２２】
(6) 上記ケース本体は、熱可塑性樹脂により矩形のトレイ状に形成されているのが好ましい。当該ケース本体の縦寸法ａ、横寸法ｂ及び高さ寸法ｃは、それぞれ、１００ｍｍ≦ａ≦５００ｍｍ、１００ｍｍ≦ｂ≦８００ｍｍ、５ｍｍ≦ｃ≦３００ｍｍの範囲に設定され得る。
【００２３】
この構成では、ケース本体がトレイ状に形成されているから、釣り道具（特に釣針、釣糸、プライヤ等の小物類）がケース本体内に整理された状態で収容され得る。特に、この発明では、ケース本体が矩形の浅いトレイ状を呈するから、当該ケース本体は、釣用バッグ等に容易に収容され得る。しかも、このケース本体が熱可塑性樹脂からなるので、高い剛性が確保されながら軽量である。
【００２４】
(7) 上記ケース本体の外面角部は、滑らかな曲面に形成されているのが好ましい。
【００２５】
これにより、当該釣用タックルケースが特定の釣用バッグに嵌め込まれるものとして構成された場合に、当該釣用バッグへの着脱がきわめて滑らかなものとなる。
【００２６】
(8) 上記蓋部材は透明であるのが好ましい。
【００２７】
蓋部材が透明であるから、釣人は、ケース本体に収容されている小物類を容易に視認することができる。
【００２８】
(9) 上記蓋部材は、小物収容ポケットを備えているのが好ましい。
【００２９】
この場合、小物類は、より一層整理された状態で収容される。
【００３０】
(10)上記ケース本体の底面に滑止部材が設けられているのが好ましい。
【００３１】
この構成では、例えばこの釣用タックルケースが磯や船の甲板上に載置された場合であっても、確実に当該載置された位置に保持される。
【発明の効果】
【００３２】
この発明によれば、ファスナーが常に円滑に開閉されるので、釣用小物類の整理収容および取り出しが容易であるうえ、パイピング処理が不要であるから釣用タックルケースの製造コストが低減される。また、大型の釣用バッグにも容易に出し入れすることができるので、利便性が高い。
【発明を実施するための最良の形態】
【００３３】
以下、適宜図面が参照されつつ、好ましい実施形態に基づいて本発明が詳細に説明される。
【００３４】
図１は、本発明の一実施形態に係るタックルケース（釣用タックルケース）を収容する釣用バッグの前方斜視図であり、図２は後方斜視図である。これらの図が示すように、この釣用バッグ１０は、バッグ本体１１と、これに設けられた扉１２とを備えている。
【００３５】
図３は、上記扉１２が開かれた状態の釣用バッグ１０の斜視図であり、図４は、図３の要部拡大斜視図である。図３及び図４が示すように、バッグ本体１１には、上記タックルケース１３が収容されている。タックルケース１３は、後述されるようにバッグ本体１１に対して取出自在に収容されている。
【００３６】
本実施形態の特徴とするところは、このタックルケース１３の蓋３４の構造である。すなわち、このタックルケース１３の蓋３４は、図１２が示すような構造を有しており、これにより、蓋３４は、きわめてスムーズに開閉されるようになっている。以下、釣用バッグ１０の各部の構造について詳述される。
【００３７】
(1) バッグ本体及び扉の構成
【００３８】
図５は、タックルケース１３が取り外された状態におけるバッグ本体１１の斜視図であり、図６は、図５における要部拡大斜視図である。
【００３９】
これらの図が示すように、バッグ本体１１は略直方体の容器状に形成されており、上面に開口１４が設けられている。このバッグ本体１１の内部空間には、さまざまな釣り道具が収容される。例えばこの釣用バッグ１０が船釣りの際に使用されるときは、電動リール、電源装置のほかロッドキーパ等の大形のタックルが収容され得る。もっとも、この釣用バッグ１０は、船釣りのほか磯釣りにも使用される。その場合、バッグ本体１１には、エサバケツ、水汲みバケツ、エサカッター、リール等が収容され得る。
【００４０】
本実施形態では、このバッグ本体１１は、樹脂製のフレーム１５と、これを囲繞するカバー１６（図６参照）とを備えている。フレーム１５は、図５および図６が示すように開口を有する容器状に形成されており、当該開口が上記バッグ本体１１の開口１４を構成している。フレーム１５を構成する樹脂は、典型的にはポリエチレン（ＰＥ）、ポリウレタン（ＰＵ）、エチレン酢酸ビニル共重合体（ＥＶＡ）、ポリプロピレン（ＰＰ）、ポリ塩化ビニル（ＰＶＣ）等が採用される。もっとも、フレーム１５を構成する樹脂は、他の種類が採用されてもよいことは勿論である。
【００４１】
カバー１６はフレーム１５の外周面を覆っており、これにより、フレーム１５が保護されている。カバー１６は、フレーム１５の外周面全体を覆うものでもよいが、本実施形態では、フレーム１５の側面のみを覆っている。したがって、フレーム１５の底面部は、バッグ本体１１の底面部を構成することになる。フレーム１５の底面に滑止部材等が設けられていてもよい。フレーム１５のカバー１６を構成する材料は、典型的にはポリ塩化ビニル（ＰＶＣ）、エチレン酢酸ビニル共重合体（ＥＶＡ）、ポリウレタン（ＰＵ）等が採用される。もっとも、カバー１６を構成する材料は、他のものが採用されてもよいことは勿論である。このカバー１６は、フレーム１５の上記開口の周縁部に沿って固定されており、当該開口周縁部には縁取テープ１７が設けられている。
【００４２】
フレーム１５は、金型により成形される。これらの図が示すように、フレーム１５は、内側に突出する柱部１８を有している。この柱部１８は、フレーム１５と一体的に形成されている。この柱部１８は、フレーム１５の４つの隅部に設けられ、上下に延びている。柱部１８の高さ寸法は、フレーム１５の深さ寸法よりも小さい。そのため、柱部１８の上面１９と、バッグ本体１１の開口周縁部との間に段差ｄが形成されている。この開口周縁部と上記上面１９との段差ｄは、５ｍｍ〜３００ｍｍの範囲に設定される。柱部１８の上面１９は、後述されるように上記タックルケース１３が支持される座部を構成している。なお、本明細書では、上記上面１９は、座部１９と称される。
【００４３】
図１及び図２が示すように、バッグ本体１１は、肩掛けベルト２０を備えている。この肩掛けベルト２０は、ベルト本体２１と肩パッド２２とを備えている。ベルト本体２１は、エチレン酢酸ビニル共重合体（ＥＶＡ）、ポリプロピレン（ＰＰ）、ポリ塩化ビニル（ＰＶＣ）等からなり、バッグ本体１１を取り囲むようにバッグ本体１１の側面に固定されている。肩パッド２２は、ベルト本体１１に設けられており、ベルト本体１１の長手方向に沿ってスライド可能となっている。肩パッド２２は、ベルト本体１１よりも幅寸法が大きく設定されており、内部に緩衝部材が配置されている。これにより、釣人が肩パッド２２を肩に掛けたときは、肩パッド２２は釣人の肩に沿って確実に当接し、釣人は、釣用バッグ１０を容易に担ぐことができるようになっている。
【００４４】
扉１２は、矩形の皿状に形成されており、たとえばポリエチレン（ＰＥ）、エチレン酢酸ビニル共重合体（ＥＶＡ）、ポリプロピレン（ＰＰ）、アクリロニトリルブタジエンスチレン共重合体（ＡＢＳ）等から構成されている。扉１２は、バッグ本体１１に対して回動自在に設けられている。具体的には、図２が示すように、扉１２は、リング２３及び連結ベルト２４を有し、リング２３を介して連結ベルト２４がバッグ本体１１の後面２６と扉１２の後端面との間に掛け渡されている。したがって、扉１２は、リング２３を基点としてバッグ本体１１に対して開閉自在となっている。なお、図１が示すように、扉１２は、バックル２５を介してバッグ本体１１に連結され得る。
【００４５】
図７は、バック本体１１の後面の拡大斜視図である。
【００４６】
同図および図２が示すように、バッグ本体１１の後面２６には、ベルト保持部２７が設けられている。このベルト保持部２７は、上記肩掛けベルト２０を保持するものであって、保持ベルト２８を備えている。保持ベルト２８は、例えば、エチレン酢酸ビニル共重合体（ＥＶＡ）、ポリプロピレン（ＰＰ）、ポリ塩化ビニル（ＰＶＣ）等からなり、細長矩形状に形成されている。保持ベルト２８は、２つ折れ状態で配置されている。具体的には、保持ベルト２８の基端部３０がバッグ本体１１に固定され、保持ベルト２８の中央部３２が折り曲げられて、先端部３１が基端部３０に重ね合わされている。
【００４７】
保持ベルト２８の内面に面ファスナー２９が設けられている。これにより、保持ベルト２８は、二つ折れ状態（図２が示す姿勢）と開放状態（図７が示す姿勢）との間で自在に姿勢変化される。上記肩掛けベルト２０は、保持ベルト２８によって挟持される。肩掛けベルト２０が保持ベルト２８によって保持されると、肩掛けベルト２０が垂れ下がって当該釣用バッグ１０の載置面に接触することがない。したがって、仮に当該載置面が汚れている場合であっても、肩掛けベルト２０が汚れてしまうことはない。
【００４８】
(2) タックルケースの構成
【００４９】
図８は、タックルケース１３の構造を示す斜視図である。図９は、タックルケース１３の内部構造を詳細に示す斜視図であり、図１０は、図９における要部拡大斜視図である。
【００５０】
これらの図及び図４が示すように、タックルケース１３は、把手４３を備えている。タックルケース１３は、後述される材料からなるケース本体３３と、ケース本体３３に設けられた蓋３４とを有する。
【００５１】
ケース本体３３は、これらの図が示すように矩形のトレイ状に形成されており、その上面が開放されている。ケース本体３３を構成する材料は、例えば、アクリロニトリルブタジエンスチレン共重合体（ＡＢＳ）、ポリエチレン（ＰＥ）、エチレン酢酸ビニル共重合体（ＥＶＡ）、ポリプロピレン（ＰＰ）その他熱可塑性樹脂が採用される。かかる材料が採用されることにより、ケース本体３３の高い剛性が確保されつつ軽量化も実現される。
【００５２】
図９が示すように、このケース本体３３の外形寸法は、縦寸法ａが２６０ｍｍ、横寸法ｂが４４０ｍｍ、高さ寸法ｃが６０ｍｍに設定されている。これら各寸法ａ，ｂ及びｃは、上記寸法に限定されるものではなく、それぞれ１００ｍｍ≦ａ≦５００ｍｍ、１００ｍｍ≦ｂ≦８００ｍｍ、５ｍｍ≦ｃ≦３００ｍｍの範囲で設定され得る。もっとも、タックルケース１３がバッグ本体１１に装着される場合には、各寸法ａ，ｂ，ｃは、バッグ本体１１の開口１４（図５参照）の寸法に対応して決定され、これにより、ケース本体３３は、ぴったりとバッグ本体１１の開口１４に嵌め込まれるようになっている。ケース本体３３がバッグ本体１１内に挿入されると、ケース本体３３の下面が上記座部１９（図５参照）に当接し、タックルケース１３は、この座部１９に支持される（図３参照）。
【００５３】
蓋３４は、ケース本体３３の上面を開閉するように取り付けられている。具体的には、蓋３４はケース本体３３の形状に対応して矩形状に形成されている。図９が示すように、蓋３４の下辺部４６は、ケース本体３３の開口縁部の一辺に対して回動自在に取り付けられている。当該ケース本体３３の開口縁部の一辺と蓋３４の下辺部４６とは、例えば布によって連結されていてもよい。蓋３４の他の３つの辺部は、スライドファスナー３５（ファスナー）を介してケース本体３３の開口周縁部に連結されている。図３及び図８が示すように、このスライドファスナー３５は、２つの摘み４４を有している。これにより、釣人は、蓋３４の開閉を容易に行うことができるようになっている。
【００５４】
なお、ケース本体３３の高さ寸法ｃは、上記段差ｄ（図５参照）に対応して設定されているのが好ましい。上記ケース本体３３の高さ寸法ｃが所定寸法に設定されることにより、図４が示すように、タックルケース１３がバッグ本体１１内に収容された状態で、上記蓋３４がバッグ本体１１の開口１４から外部に露出する。具体的には、上記スライドファスナー３５がバッグ本体１１の開口１４よりも上方に位置する。上記高さ寸法ｃは、上記段差ｄよりも大きく、例えば、５ｍｍ〜３００ｍｍの範囲で適宜設定され得る。
【００５５】
蓋３４は、透明の生地３６から構成されている。蓋３４を構成する生地３６は、典型的にはポリ塩化ビニル（ＰＶＣ）、ポリオレフィン等が採用される。図１１は、図１０におけるXI−XI断面図である。図１０及び図１１が示すように、蓋３４は、三枚の生地からなる。
【００５６】
すなわち、蓋３４は、上記透明の生地３６と、この生地３６の内側に配置された生地３７と、さらに内側に配置された生地３８とを備えている。生地３７及び生地３８は、メッシュ構造を備えているのが好ましい。本実施形態では、生地３６は例えば、ポリ塩化ビニル（ＰＶＣ）、ポリオレフィンからなり、生地３７は例えば、ポリ塩化ビニル（ＰＶＣ）、ポリエステル（ＰＥ）からなり、生地３８は、例えばポリ塩化ビニル（ＰＶＣ）、ポリエステル（ＰＥ）、ナイロンからなる。ただし、各生地３６〜３８が同一の透明の生地から構成されていてもよい。また、生地３７、３８がメッシュ構造を備える場合には、これらの生地の材料自体が透明である必要はない。生地３６と生地３７とは略同一の形状であり、両者の周縁部同士が固着されている。生地３８は、矩形状を呈し、生地３７の下部に重ね合わせられている。生地３８の上縁部４７を除く他の縁部は、生地３７の周縁部に重ねて固着されている。
【００５７】
図１２は、図８におけるXII−XII断面図である。同図は、蓋３４の構造およびケース本体３３と蓋３４との取付構造を詳細に示している。
【００５８】
前述のように、蓋３４は生地３６〜３８を備えており、図１２が示すように、生地３６の内側に生地３７が重ね合わされている。そして、この蓋３４は、上記スライドファスナー３５（図８参照）を介してケース本体３３に取り付けられている。スライドファスナー３５は既知の構造を備えている。すなわち、スライドファスナー３５は、一対のジッパーテープ５１、５２と、これらの間に配置された一対のチェーン５３、５４と、各チェーン５３、５４を係合させまたは係合解除させるスライダ５５とを有する。このスライダ５４に上記摘み４４が設けられている。
【００５９】
ジッパーテープ５１、５２は、樹脂シートあるいは綿シートその他の可撓性を有する生地からなる。ジッパーテープ５１は細長帯状に形成されており、図８および図１２が示すように、蓋３４の下面の周縁部５６に取り付けられている。具体的には、ジッパーテープ５１は、その上縁部５７（ジッパーテープの端部）が上記周縁部５６に縫い付けられており、（図１２参照）。ケース本体３３側に向かって略Ｌ字状に屈曲し、垂下されている。本実施形態では、蓋３４の縁部に被覆テープ５８が設けられている。ジッパーテープ５１は、上記生地３７の内側に重ね合わされており、上記生地３６、生地３７およびジッパーテープ５１が重ね合わされ、さらに、これらを囲繞するように被覆テープ５８が設けられている。生地３６、生地３８、ジッパーテープ５１および被覆テープ５８は、互いに縫い付けられている。
【００６０】
ジッパーテープ５２もジッパーテープ５１と同様に樹脂シートあるいは綿シートその他の可撓性を有する生地からなる。ジッパーテープ５２は細長帯状に形成されており、図８および図１２が示すように、ケース本体３３の上縁部の外側に取り付けられている。本実施形態では、ケース本体３３の上面に保護テープ５９（図１２参照）が設けられている。この保護テープ５９は、エチレン酢酸ビニル共重合体（ＥＶＡ）、ポリプロピレン（ＰＰ）、ポリ塩化ビニル（ＰＶＣ）等からなり、ケース本体３３の上面に設けられた開口の周縁部を被覆し補強する。ジッパーテープ５２の下縁部６０は、保護テープ５９の外側に取り付けられている。また、本実施形態では、ケース本体３３の上端部の外側に補強リング６１が設けられている。この補強リング６１は、保護テープ５９の外側を囲繞するように配置されており、ジッパーテープ５２の下縁部６０は、保護テープ５９と補強リング６１との間に挿入されている。補強リング６１は、ケース本体３３と一体的に形成されてもよいし、別部材として構成され、ケース本体３３に融着その他の固着手段により固着されてもよい。そして、この補強リング６１、ジッパーテープ５２の下縁部６０、保護テープ５９およびケース本体３３は、互いに縫い付けられている。
【００６１】
したがって、図１２が示すように蓋３４が閉じられた状態では、ジッパーテープ５２は、ケース本体３３の上端部から上方へ、すなわち蓋３４側へ延びており、ジッパーテープ５１は、蓋３４から下方へ、すなわちケース本体３３側へ垂下する。そして、ジッパーテープ５１の下縁にチェーン５３が取り付けられ、ジッパーテープ５１の上縁にチェーン５４が取り付けられている。これら一対のチェーン５３、５４は、互いに連結（係合）し、また、連結が解除（係合解除）されるようになっている。上記スライダ５５は、各チェーン５３、５４の間に配置されており、各チェーン５３、５４の長手方向に沿ってスライドすることによって、各チェーン５３、５４を連結し、あるいは連結解除する。すなわち、スライダ５５がスライドされることによって、蓋３４が開閉される。
【００６２】
図１０が示すように、生地３６を覆うように生地３７が配置され、しかも生地３７は、スライドファスナー３９を備えている。したがって、蓋３４は、生地３６と生地３７とによって形成されるポケット４１（小物収容ポケット）を備える。このポケット４１は、スライドファスナー３９によって開閉自在である。さらに、生地３７に生地３８が重ね合わされているから、両者によって他のポケット４２（小物収容ポケット）が形成されている。そして、生地３７と生地３８との間に面ファスナー４０が設けられている。したがって、上記他のポケット４２は、スライドファスナー４０によって開閉自在となっている。また、本実施形態では、生地３８の中間部分３８ａ、３８ｂが生地３７に縫いつけられている。これにより、このポケット４２は、３つの部分に区画されている。ただし、上記中間部分３８ａ、３８ｂが生地３７に縫いつけられていなくてもよいことは勿論である。
【００６３】
図８及び図９が示すように、このタックルケース１３は、上記把手４３を備えている。この把手４３は、ケース本体３３の対向する側面にそれぞれ取り付けられている。各把手４３は、エチレン酢酸ビニル共重合体（ＥＶＡ）、ポリプロピレン（ＰＰ）、ポリ塩化ビニル（ＰＶＣ）等からなり、細長の紐状に形成されている。この把手４３は、ケース本体３３の中央上方において束ねられ得るようにその長さが決定されている。したがって、釣人は、これら把手４３をケース本体３３の上方で束ねて持つことができ、これにより、タックルケース１３は、釣人によって簡単に持ち運ばれる。
【００６４】
図８および図９が示すように、ケース本体３３の角部は、滑らかな曲面に形成されている。具体的には、ケース本体３３の外周面の４つの角部４８は、湾曲されており、きわめて滑らかに仕上げられている。各角部４８を構成する曲面の曲率半径は、例えば５ｍｍ〜６０ｍｍの範囲で設定され得る。
【００６５】
また、同図では図示されていないが、ケース本体３３の底面に滑止部材が設けられていてもよい。滑止部材としては、例えば、ポリ塩化ビニル（ＰＶＣ）、アクリルニトリル−ブタジエンゴム（ＮＢＲ）、天然ゴム、熱可塑性ゴム（ＴＰＲ）が採用される。滑止部材は、ケース本体３３の底面全体を覆うように設けられていてもよいし、例えば底面の隅部にのみ設けられていてもよい。
【００６６】
(3) 釣用バッグ及びタックルケースの使用要領
【００６７】
この釣用バッグ１０では、釣用リール、エサバケツ、ロッドキーパ等の大型で重量が大きいタックルはバッグ本体１１に収容され、ウキやルアー等の中型の釣道具や、針、錘、釣糸、サルカンと称される釣糸連結具などのように小型の釣道具は、タックルケース１３に収容される。タックルケース１３は、バッグ本体１１内に収容されるが、このタックルケース１３がバッグ本体１１に設けられた座部１９（図５参照）に載置され支持されると、図３が示すようにタックルケース１３の蓋３４がバッグ本体１１の開口１４から外部に露出する。したがって、釣人は、タックルケース１３がバッグ本体１１に嵌め込まれた状態であってもタックルケース１３の蓋３４を自在に開閉することができ、小物類を容易に取り出すことができる。また、大型のタックルはバッグ本体１１に収容され、小形のタックルはタックルケース１３に分類して収容されるので、タックルは、その種類に応じて整理されるという利点がある。本実施形態では、このタックルケース１３は、釣用バッグ１０のバッグインバッグとして使用されるが、単体で使用されてもよい。
【００６８】
図８が示すように、釣人は、タックルケース１３のスライドファスナー３５を操作することによって蓋３４を開閉することができる。すなわち、スライダ５５がスライドされることにより蓋３４がケース本体３３に対して開放される（図９参照）。この状態で釣人は、ケース本体３３に釣道具を出し入れすることができる。スライドファスナー３５が閉じられることによって蓋３４がケース本体３３に対して閉鎖される。
【００６９】
スライドファスナー３５の一対のチェーン５３、５４が互いに係合した状態のとき、すなわちスライドファスナー３５が閉じられたときは、蓋３４は、ケース本体３３の上面を閉塞する。このとき、スライドファスナー３５の一方のジッパーテープ５１は、図１２が示すように、蓋３４の下面の周縁部５６からケース本体３３側へ垂下するように配置される。すなわち、このジッパーテープ５１は、従来のように蓋部材の上面に設けられ、この蓋部材の縁部に回り込むように折り返されるものではなく、蓋３４の下面からそのまま下方へ延びている。言い換えれば、スライドファスナー３５が開かれていてもあるいは閉じられていても、ジッパーテープ５１は、他方のジッパーテープ５２の方へ延びている。したがって、たとえ上記スライダ５５が蓋３４の角部４８（図９参照）をスライドする場合であっても、一対のジッパーテープ５１、５２が互いに強く引っ張り合うことはなく、その結果、スライドファスナー３５の円滑な開閉操作が可能になる。
【００７０】
このように、本実施形態に係るタックルケース１３では、スライドファスナー３５が常に円滑に開閉されるので、釣人とは、釣用小物類を整理して収容することができ、しかも、これを容易に取り出すことができる。また、蓋３４にパイピング処理がなされていないことから、タックルケース１３の製造コストが低減されるという利点もある。さらに、前述のように、タックルケース１３は、大型の釣用バッグ１０に容易に出し入れされるので、実釣における利便性がきわめて高い。
【００７１】
本実施形態では、図１２が示すように、ジッパーテープ５１の上縁部５７が蓋３４の下面の周縁部５６に縫い付けられ、当該ジッパーテープ５１は、ケース本体３３側へＬ字状に屈曲されている。このため、ジッパーテープ５１は、自重により安定的に垂下する。したがって、スライダ５５がスライドする際に、一対のジッパーテープ５１、５２が互いに離反する方向に引っ張られることが確実に防止され、その結果、スライドファスナー３５の一層円滑な開閉操作が可能になる。
【００７２】
また、本実施形態では、被覆テープ５８によって蓋３４の周縁部５６およびジッパーテープ５１が被覆されている。このように被覆テープ５８が設けられることにより、蓋３４の周縁部５６の剛性が向上する。したがって、従来のように蓋３４にパイピング処理が施されなくても蓋３４の十分な剛性が確保される。なお、被覆テープ５８が設けられることにより、蓋３４およびタックルケース１３の外観が向上するという利点もある。
【００７３】
さらに、本実施形態に係るタックルケース１３は、次のような作用効果が奏される。
【００７４】
図８が示すように、ケース本体３３の対向する両側面に把手４３が設けられている。釣人がこの把手４３を握って持ち上げると、タックルケース１３は、その側面が把手４３によって支持され、水平状態を保ったまま持ち上げられる。このことは、蓋３４が開かれていても閉じられていても同様である。すなわち、仮に把手４３が蓋３４に設けられているならば、万一、スライドファスナー３５が開いている状態で釣人が把手３４を持つと、蓋３４が一気に全開され内部の小物類が外部に飛び出してしまうおそれがある。しかし、本実施形態では、スライドファスナー３５が開いていてもそのような問題は生じない。
【００７５】
また、上記把手４３は、ケース本体３３の中央上方で束ねられ得るように紐状に形成されているから、釣人は、両把手４３を束ねて握るだけで、ケース本体３３を安定的に持つことができる。
【００７６】
さらに、タックルケース１３のケース本体３３がトレイ状に形成されていることから、特に釣針、釣糸、プライヤ等の小物類がケース本体３３内に整理された状態で収容される。具体的には、ケース本体３３の外形寸法は、前述の各寸法ａ、ｂ、ｃに設定されているから、ケース本体３３は、浅いトレイ状を呈する（図９参照）。したがって、ケース本体３３は、釣用バッグ１０に容易に嵌め込まれるし、他の釣用バッグにも容易に適合し得る。しかも、このケース本体３３が熱可塑性樹脂からなるので、釣用バッグ等に一層容易に嵌め込まれ得るし、高い剛性が確保されつつも軽量化が実現される。
【００７７】
加えて、ケース本体３３の角部４８が滑らかな曲面に形成されているので（図８および図９参照）、タックルケース１３は、当該釣用バッグ１０に上下に容易に挿抜される。すなわち、タックルケース１３は、釣用バッグ１０への着脱がきわめて滑らかなものとなる。
【００７８】
また、上記蓋３４は透明であるから、釣人は、ケース本体３３に収容されている小物類を容易に視認することができる。したがって、釣人は、タックルケース１３を開ける前に取り出そうとするタックルが存在するか否かを確認することができるという利点がある。また、蓋３４は、ポケット４１、４２を備えているから、小物類は、より一層整理された状態で収容される得る。釣人は、複数の小物類をさらに細かく分類して整理収容することができるという利点もある。
【００７９】
さらに、前述のように、ケース本体３３の底面に滑止部材が設けられる場合には、例えばこのタックルケース１３が船の甲板上に載置された場合であっても、あるいは濡れた磯の上に載置された場合であっても、容易に滑ることはないという利点がある。
【００８０】
なお、図５が示すように、上記バッグ本体１１が樹脂製のフレーム１５を備えているから、海水や釣餌等がバッグ本体１１の内壁面に付着したとしても、これらは容易に洗い流される。また、フレーム１５が断熱材を備えていてもよい。その場合には、バッグ本体１１が簡易なクーラーとして利用され得る。
【産業上の利用可能性】
【００８１】
本発明は、魚釣りに使用されるタックルケースに適用され得る。
【図面の簡単な説明】
【００８２】
【図１】図１は、本発明の一実施形態に係るタックルケースが内蔵された釣用バッグの前方斜視図である。
【図２】図２は、本発明の一実施形態に係るタックルケースが内蔵された釣用バッグの後方斜視図である。
【図３】図３は、本発明の一実施形態に係るタックルケースが内蔵された釣用バッグの斜視図であり、扉が開かれた状態が図示されている。
【図４】図４は、図３の要部拡大斜視図である。
【図５】図５は、本発明の一実施形態に係るタックルケースが内蔵されるバッグ本体の斜視図であり、タックルケースが取り外された状態が図示されている。
【図６】図６は、図５における要部拡大斜視図である。
【図７】図７は、本発明の一実施形態に係るタックルケースが内蔵されるバック本体の後面の拡大斜視図である。
【図８】図８は、本発明の一実施形態に係るタックルケースの外観斜視図である。
【図９】図９は、本発明の一実施形態に係るタックルケースの内部構造を詳細に示す斜視図である。
【図１０】図１０は、図９における要部拡大斜視図である。
【図１１】図１１は、図１０におけるXI−XI断面図である。
【図１２】図１２は、図８におけるXII−XII断面図である。
【図１３】図１３は、従来のタックルケースの斜視図である。
【図１４】図１４は、図１３におけるXIV−XIV断面図である。
【符号の説明】
【００８３】
１３・・・タックルケース
３３・・・ケース本体
３４・・・蓋
３５・・・スライドファスナー
３６・・・透明の生地
３７・・・生地
３８・・・生地
４８・・・角部
５１・・・ジッパーテープ
５２・・・ジッパーテープ
５３・・・チェーン
５４・・・チェーン
５５・・・スライダ
５６・・・周縁部
５７・・・上縁部
５８・・・被覆テープ
６０・・・下縁部
【図１】
2007330158.tif 000003
【図２】
2007330158.tif 000004
【図３】
2007330158.tif 000005
【図４】
2007330158.tif 000006
【図５】
2007330158.tif 000007
【図６】
2007330158.tif 000008
【図７】
2007330158.tif 000009
【図８】
2007330158.tif 000010
【図９】
2007330158.tif 000011
【図１０】
2007330158.tif 000012
【図１１】
2007330158.tif 000013
【図１２】
2007330158.tif 000014
【図１３】
2007330158.tif 000015
【図１４】
2007330158.tif 000016